(57)【要約】【課題】  この発明は、種々の取付け対象に対して所望の部材を保持した状態で安定的に取付けるための部材取付け治具等を提供する。【解決手段】  部材取付け治具(100)は、複数の当接部分(110a,110b,120a,120b)と、これら当接部分(110a,110b,120a,120b)それぞれの一端を支持する連結部分(130)と、所望の部材を保持するための保持構造とを備える。取付け対象には、当接部分(110a,110b,120a,120b)のうち一方の組(110a,110b)と残った他方の組(120a,120b)とによって把持されることにより、所望の部材が取付けられる。特に、連結部分(130)には、当接部分(110a,110b,120a,120b)が取付け対象を挟んだ状態で、当該連結部分(130)と取付け対象との間に間隙を形成するためのストッパー(150a,150ｂ)が設けられている。【選択図】  図１
2006319669.tif 000002
【特許請求の範囲】
【請求項１】
複数の当接部分と、これら当接部分それぞれの少なくとも一端を支持する連結部分と、所望の部材を保持するための保持構造とを備え、該複数の当接部分のうち一方の組と残った他方の組とで取付け対象を挟むことにより、該取付け対象に対する該部材の相対位置を固定するための部材取付け治具であって、
前記連結部分は、前記複数の当接部分の一方の組と他方の組とが取付け対象を挟んだ状態で、当該連結部分と取付け対象との間に間隙を形成するためのストッパーが設けられた部材取付け治具。
【請求項２】
複数の当接部分と、これら当接部分それぞれの少なくとも一端を支持する連結部分と、所望の部材を保持するための保持構造とを備え、該複数の当接部分のうち一方の組と残った他方の組とで取付け対象を挟むことにより、該取付け対象に対する該部材の相対位置を固定するための部材取付け治具であって、
前記複数の当接部分の少なくともいずれかは、該複数の当接部分が前記取付け対象を挟んだ状態で該取付け対象に複数箇所で接触するよう、１又は複数箇所で折り曲げられている部材取付け治具。
【請求項３】
前記複数の当接部分それぞれは、前記連結部分から連続して伸びた該連結部の一部を折り曲げた部分であって、該複数の当接部分のうち一方の組に属する当接部分の長さが他の組に属する当接部分よりも長く設定されていることを特徴とする請求項１又は２記載の部材取付け治具。
【請求項４】
前記複数の当接部分の少なくともいずれかは、該複数の当接部分が前記取付け対象を挟んだ状態で該取付け対象に複数箇所で接触するよう、１又は複数箇所で折り曲げられていることを特徴とする請求項1記載の部材取付け治具。
【請求項５】
前記複数の当接部分の少なくともいずれかは、弾力性を有する材料で構成されるか、又は、弾力性を有する材料が取付けられていることを特徴とする請求項１又は２記載の部材取付け治具。
【請求項６】
前記複数の当接部分それぞれの端部のうち少なくとも一箇所以上の部分には、柔らかい材料が取付けられていることを特徴とする請求項１又は２記載の部材取付け治具。
【請求項７】
前記保持構造は、前記連結部分から連続して伸びた、該連結部分の一部を構成する支持部分に設けられていることを特徴とする請求項１又は２記載の部材取付け治具。
【請求項８】
前記保持構造は、前記連結部分自体に設けられていることを特徴とする請求項１又は２記載の部材取付け治具。
【請求項９】
前記保持構造は、前記複数の当接部分のうちいずれかの当接部分から連続して伸びた、当該当接部分の一部を構成する支持部分に設けられていることを特徴とする請求項１又は２記載の部材取付け治具。
【請求項１０】
前記保持構造は、前記複数の当接部分のうちいずれかの当接部分自体に設けられていることを特徴とする請求項１又は２記載の部材取付け治具。
【請求項１１】
前記保持構造は、該保持構造を取付けるための構造を備えるとともに、前記複数の当接部分のうちいずれかの当接部分あるいは前記連結部分のいずれかに取付けられた補助部材に設けられていることを特徴とする請求項１又は２記載の部材取付け治具。
【発明の詳細な説明】
【技術分野】
【０００１】
この発明は、対象物にカメラ等の部材を取付けるための部材取付け治具に関するものである。
【背景技術】
【０００２】
近年、通信容量及び通信速度の向上等により、撮影用カメラが取付けられた表示装置（特許文献１参照）を利用して、音声や映像などマルチメディアを媒介とした遠隔地間の双方向対話を実現するテレビ会議システムが実用化されている。このようなテレビ会議システムなど双方向対話型システムに適用可能な端末装置では、特に、既存の表示装置に対するカメラの相対位置をいかに固定するかが重要であり、カメラ等の部材を対象物（例えば、表示装置や、壁、天井などの任意の場所）に取付けるための部材取付け治具の開発が盛んに行われている（特許文献２及び３参照）。
【特許文献１】特開平７−２８７６２３号公報
【特許文献２】特開２００４−０２０３２６号公報
【特許文献３】特開平６−１７８１７１号公報
【発明の開示】
【発明が解決しようとする課題】
【０００３】
発明者らは、上述のような従来の部材取付け治具を検討した結果、以下のような課題を発見した。すなわち、テレビ会議システムなどの双方向対話型システムの端末装置として利用可能なノートパソコンや薄型液晶ディスプレイ等の場合、表示装置の縁などでは撮影用カメラなどの取付け可能な幅が狭く、また厚さ、形状が様々であり、このような表示装置の縁に容易に脱着可能で、しっかりとカメラを初め電子機器などの部材が固定できる部材取付け治具はなかった。特に、ノートパソコンにおける表示装置の液晶ディスプレイなどモニタ部分は部材取付け治具が接触すると液晶面及び内部の配線部を傷つけ、故障の原因となることから、該モニタ部分に触れることなく部材の取付け、取外しを容易に可能にする部材取付け治具が求められている。
【０００４】
この発明は、上述のような課題を解決するためになされたものであり、厚さ、取付け部位の形状の異なる種々の取付け対象に対して所望の部材を保持した状態で安定的に取付け可能にするとともに、該対象物に対する部材の相対位置を固定するための部材取付け治具を提供することを目的としている。
【課題を解決するための手段】
【０００５】
この発明に係る部材取付け治具は、種々の取付け対象に対して、カメラ等、センサ、照明器具の電子機器の他、紙部材、筆記具などの所望の部材を保持した状態で安定的に取付けるための治具である。近年、有線、無線を問わずインターネット等の伝送手段に接続されたパソコンを通信端末として、音声、映像などマルチメディアを媒介とした双方向対話を実現するテレビ会議システムなどの双方向対話型システムが実用化されてきた。当該部材取付け治具の代表的な利用分野としては、例えば通信端末の表示装置にＷｅｂカメラを固定する際の取付け治具が考えられる。
【０００６】
具体的に、この発明に係る部材取付け治具は、複数の当接部分と、該複数の当接部分の間に位置しこれら当接部分それぞれの一端を支持する連結部分と、所望の部材を保持するための保持構造とを備える。これら複数の当接部分のうち一方の組と残った他方の組とで取付け対象を挟むことにより、該取付け対象に対する該部材の相対位置が固定される。なお、取付け対象を挟む当接部分のうち一方の組は１又はそれ以上の当接部分が含まれ、他方の組にも１又はそれ以上の当接部分が含まれる。また、取付け対象に対してその相対位置が固定される部材としては、双方向対話で重要な撮像部（カメラ）、センサ、照明器具などの電子機器の他、対話中に参照されるような補助資料、パソコンへ直接キーボード入力する際のテキストなどの紙部材、筆記具も含まれる。
【０００７】
特に、この発明に係る部材取付け治具は、複数の当接部分が取付け対象を挟んだ状態で、連結部分と取付け対象との間に間隙を形成するためのストッパーが当該連結部分に設けられたことを特徴としている。
【０００８】
このように、複数の当接部分が挟んだ状態で当該部材取付け治具が取付け対象に設置されたとき、連結部分に設けられたストッパーが該取付け対象と連結部分とを所定距離だけ離間させた状態にする。この場合、取付け対象を把持する複数の当接部材に付勢される反発力と比較して少しの外力が連結部分の前後方向に加わるだけで、当該部材取付け治具の取付け対象に対する設置状態が変えられるため、当該部材取付け治具の取付け対象からの取外しが容易になる。また、このストッパーが取付け対象と連結部分との間に介在することにより、取付け対象における当接部分の接触位置を、より取付け対象の縁側に設定させることが可能になる。例えば、取付け対象が液晶ディスプレイなどモニタ画面を有する表示装置である場合、このストッパーが設けられることにより、一方の当接部分の端部が該モニタ画面に直接接触しない位置（液晶ディスプレイを傷つけない位置）に調節することが可能になる。
【０００９】
また、この発明に係る部材取付け治具において、上記複数の当接部分の少なくともいずれかは、当該複数の当接部分が取付け対象を挟んだ状態で該取付け対象に複数箇所で接触するよう、１又は複数箇所で折り曲げられているのが好ましい。また、上記複数の当接部分は、取付け状態を安定させるため、一方の組に属する当接部分の長さが他の組に属する当接部分よりも長く設定されているのが好ましい。複数の当接部分それぞれは、連結部分から連続して伸びた該連結部の一部を折り曲げた部分で構成されるのが好ましく、この場合、該複数の当接部分に形成された隙間以上の厚みを有する取付け対象に対して、該複数の当接部分には所定の反発力が付勢される。
【００１０】
この発明に係る部材取付け治具において、上記複数の当接部分の少なくともいずれかには、取付け対象への取付けあるいは該取付け対象からの取外しを容易にするため、弾力性を有する材料で構成されるか、又は、クッション材などの弾力性を有する材料が取付けられるのが好ましい。このように、クッション材などの弾性変形により取付け対象の形状の違いが吸収され、種々の形状に対しても容易、かつ、しっかりと当該部材取付け治具が固定され得る。加えて、上記複数の当接部分それぞれの端部うち少なくとも一箇所以上の部分には、取付け対象の損傷を防止するため、柔らかい材料が取付けられるのが好ましい。
【００１１】
なお、所望の部材を一体的に保持する上記保持構造は、連結部分から連続して伸びた該連結部分の一部を構成する支持部分に設けられるのが好ましい。ただし、この保持構造は、当該部材取付け治具の小型化等の要求に答えて、連結部材自体に設けられてもよい。さらに、小型化等の要求を満たすための構造として、例えば、保持構造は、複数の当接部分のうちいずれかの当接部分から連続して伸びた、当該当接部分の一部を構成する支持部分に設けられてもよい。保持構造は、複数の当接部分のうちいずれかの当接部分自体に設けられてもよい。また、保持構造は、該保持構造を取付けるための構造を備えるとともに、複数の当接部分のうちいずれかの当接部分あるいは連結部分のいずれかに取付けられた補助部材に設けられてもよい。
【発明の効果】
【００１２】
以上のようにこの発明によれば、異なる種々の取付け対象物に対して所望の部材を保持した状態で安定的に取付けることを可能にし、これにより、該対象物に対する部材の相対位置を固定する。
【発明を実施するための最良の形態】
【００１３】
以下、この発明に係る部材取付け治具の各実施形態について、図１〜図９を用いて詳細に説明する。なお、図面の説明において、同一要素、同一部位には同一符号を付して重複する説明を省略する。
【００１４】
この発明に係る部材取付け治具の第１実施形態の構成を示す斜視図である。図１に示されたように、第１実施形態に係る部材取付け治具１００は、種々の取付け対象に対して、カメラ、センサ、照明器具などの電子機器の他、紙部材などの所望の部材を保持した状態で安定的に取付けるための治具である。具体的に、部材取付け治具１００は、連結部分１３０と、取付け対象を挟み込む複数の当接部分と、所望の部材を保持する保持構造が設けられる支持部分１４０と、一対のストッパー１５０ａ、１５０ｂを備える。ここで、複数の当接部分は、取付け対象を挟む一方の組に属する当接部分として、前方当接片１１０ａ、１１０ｂを含むとともに、残った他方の組に属する当接部分として、後方当接片１２０ａ、１２０ｂを含む。
【００１５】
なお、取付け対象を挟む前方当接片と後方当接片は、必ずしも一つずつで対を構成する必要はない。例えば、複数の前方当接片と一つの後方当接片とを組み合わせた構成、一つの前方当接片と複数の後方当接片とを組み合わせた構成、あるいは、この第１実施形態のように複数の前方当接片と複数の後方当接片とを組み合わせた構成のいずれであってもよい。
【００１６】
また、前方当接片１１０ａ、１１０ｂの取付け対象に向いた面には、クッション材１１１ａ、１１１ｂが取付けられている。同様に、後方当接片１２０ａ、１２０ｂの取付け対象に向いた面にも、クッション材１２１ａ、１２１ｂが取付けられている。一対のストッパー１５０ａ、１５０ｂにも、取付け対象に接触する端部にクッション材１５１ａ、１５１ｂが取付けられている。これらクッション材１１１ａ、１１１ｂ、１２１ａ、１２１ｂ、１５１ａ、１５１ｂは、いずれも各部分の端部を保護する形状を有する、柔らかいゴム製部材である。
【００１７】
当該部材取付け治具１００が取付け対象に取付けられた際、該取付け対象の裏面側に位置する後方当接片１２０ａ、１２０ｂの長さは、該取付け対象の正面側に位置する前方当接片１１０ａ、１１０ｂよりも長く設定されており、これら後方当接片１２０ａ、１２０ｂは、取付け対象の裏面に複数箇所で接触するよう、複数箇所で折り曲げられた構造を有する。
【００１８】
上述のような構造を有する部材取付け治具１００の製造工程を、図２を用いて説明する。当該部材取付け治具１００における前方当接片１１０ａ、１１０ｂ及び後方当接片１２０ａ、１２０ｂは、取付け対象を把持した状態で当該部材取付け治具１００自体が固定され得る程度の反発力が付勢されるため、連結部分１３０の一部を折り曲げることにより形成される。
【００１９】
すなわち、所定の厚みを有する金属板が、まず図２に示されたような形状に加工される。この加工された金属板は、連結部分１３０から前方に連続して伸びた前方当接片１１０ａ、１１０ｂと、連結部分１３０から後方に連続して伸びた後方当接片１２０ａ、１２０ｂと、連結部分１３０の左右に連続して伸びたストッパー１５０ａ、１５０ｂと、連結部分１３０から連続して伸びた支持部分１４０で構成されている。
【００２０】
このとき、上述のような形状に加工された金属板における下面（図面の下側）の対応する部分には、それぞれ端部を保護する形状のクッション材１１１ａ、１１１ｂ、１２１ａ、１２１ｂ、１５１ａ、１５１ｂが貼り付けられる。
【００２１】
続いて、線Ｌ１に沿って前方当接片１１０ａ、１１０ｂを、線Ｌ２に沿ってストッパー１５０ａ、１５０ｂを、そして、線３に沿って後方当接片１２０ａ、１２０ｂを、それぞれ連結部分１３０の下方側（図面の下側）に向かって折り曲げる。さらに、後方当接片１２０ａ、１２０ｂを線Ｌ４及びＬ５に沿って互いに逆方向に折り曲げるとともに、支持部分１４０を線Ｌ４に沿って連結部分１３０の上方（図面の上側）に向かって折り曲げることにより、図３に示されたような構造の部材取付け治具１００が得られる。なお、図３（ａ）は、上述のような製造工程を経て得られた部材取付け治具１００の正面図であり、図３（ｂ）は、部材取付け治具１００の側面図である。
【００２２】
次に、ノートパソコンの表示装置を取付け対象として、この第１実施形態に係る部材取付け治具１００の取付け方法及び取外し方法を説明する。図４は、第１実施形態に係る部材取付け治具１００の取付け方法及び取外し方法を説明するための図である。
【００２３】
まず、部材取付け治具１００における前方当接片１１０ａ、１１０ｂの先端を表示装置８のＡ点に接触させ、このＡ点を支点として連結部分１３０を矢印Ｓ１で示された方向（表示装置８の後方側）に倒していく。この際、前方当接片１１０ａ、１１０ｂと後方当接片１２０ａ、１２０ｂには、それぞれの間隔が広げられることにより表示装置８を把持するための反発力が付勢される。また、後方当接片１２０ａ、１２０ｂにはクッション材１２１ａ、１２１ｂが取付けられており、表示装置８の表面を傷つけることなく該表示装置８の裏面に沿って後方当接片１２０ａ、１２０ｂがスライドしていく。なお、図中の領域Ｍは、表示装置８のモニタ画面に相当する領域を示している。また、連結部分１３０から連続して伸びた前方当接片１１０ａ、１１０ｂ、後方当接片１２０ａ、１２０ｂ、一対のストッパー１５０ａ、１５０ｂの各先端にはクッション材１１１ａ、１１１ｂ、１２１ａ、１２１ｂ、１５０ａ、１５０ｂの一部が位置しており、当該部材取付け治具１００の取付け作業時あるいは取外し作業時に表示装置８の表面が傷つくことはない。
【００２４】
そして、図４（ｂ）に示されたように、後方当接片１２０ａ、１２０ｂが表示装置８における裏面のＢ１点及びＢ２点の２箇所で接触する状態で、当該部材取付け治具１００が表示装置８に固定される。その際、連結部分１３０と表示装置８とは、ストッパー１５０ａ、１５０ｂによって所定距離離間した状態で、部材取付け治具１００が表示装置８に固定される。なお、ストッパー１５０ａ、１５０ｂが表示装置８と連結部分１３０との間に介在することにより、表示装置８における前方当接片１１０ａ、１１０ｂの接触位置（Ａ点）を、より表示装置８の縁側に設定させることが可能になる。このように、ストッパー１５０ａ、１５０ｂが設けられることにより、前方当接片１１０ａ、１１０ｂの端部が該モニタ画面に直接接触しない位置（液晶ディスプレイを傷つけない位置）に調節することが可能になる。
【００２５】
一方、表示装置８から部材取付け治具１００を取外す場合には、図４（ｂ）中の矢印Ｓ２で示された方向（表示装置８の前方側）に、Ａ点を支点として連結部分１３０を倒すことにより、容易に当該部材取付け治具１００を表示装置８から取外すことができる。
【００２６】
このように、ストッパー１５０ａ、１５０ｂが設けられたことにより、モニタ領域Ｍを外した部位で表示装置を把持する際に前方当接片１１０ａ、１１０ｂと後方当接片１２０ａ、１２０ｂに付勢された反発力と比較して少しの外力が連結部分１３０の後方から前方に向かって加わるだけで、当該部材取付け治具１００の取外しが容易になる。
【００２７】
なお、この第１実施形態に係る部材取付け治具１１０には、連結部分１３０から連続して伸びた支持部分１４０には、所望の部材を保持するための保持構造が設けられる。
【００２８】
次に、この発明に係る部材取付け治具の第２実施形態について説明する。図５は、この発明に係る部材取付け治具の第２実施形態の構成を示す斜視図である。
【００２９】
この第２実施形態に係る部材取付け治具２００は、支持部材の形状が第１実施形態に係る部材取付け治具１００と異なる。
【００３０】
すなわち、部材取付け治具２００は、第１実施例に係る部材取付け治具１００と同様に、連結部分１３０と、互いに対向している当接部分を構成する前方当接片１１０ａ、１１０ｂと、後方当接片１２０ａ、１２０ｂと、一対のストッパー１５０ａ、１５０ｂを備える。ただし、この第２実施形態に係る部材取付け治具２００において、所望の部材を保持する保持構造が設けられる支持部分２４０は、連結部分１３０の前方に向かって伸びた形状を有する。なお、図５には、保持構造としてカメラを把持した状態で保持するカメラホルダー２５０が設置されており、このカメラホルダー２５０にはカメラの撮像方向を変えるための角度調節機構が設けられている。
【００３１】
図６（ａ）には、カメラ５がカメラホルダー２５０に保持された部材取付け治具２００が表示装置８に固定された状態が示されている。なお、このカメラ５と部材取付け治具２００とにより撮像装置が構成される。
【００３２】
この第２実施形態では、カメラなどを保持するための保持構造が連結部分１３０から連続して前方に向かって伸びた支持部分２４０に設けられている。しかしながら、この保持構造は、連結部分１３０自体に設けられてもよい。図６（ｂ）は、カメラ５を把持した状態で保持するカメラホルダー２５０（保持構造）が連結部分１３０自体に設けられた、この発明に係る部材取付け治具の第３実施形態の構成を示す図である。この図６（ｂ）に示されたように、この第３実施形態に係る部材取付け治具３００において、カメラホルダー２５０は連結部分１３０自体に設けられているが、ストッパー１５０ａ、１５０ｂが連結部分１３０と表示装置８との間に設けられることにより、カメラホルダー２５０が連結部分１３０に容易に取付けることが可能になる。
【００３３】
なお、上述の第２及び第３実施形態のいずれにおいても、カメラ５の撮像方向は、保持機構であるカメラホルダー２５０の角度調節機構により、図６（ａ）及び６（ｂ）中の矢印Ｓ３で示された方向に変えることが可能である。また、カメラホルダー２５０などの保持機構が設置される場所は、上述の第１〜第３実施形態で例示された位置には限定されない。例えば、カメラホルダー２５０のような保持構造は、当接片１１０ａ、１１０ｂ、１２０ａ、１２０ｂのうちいずれかの当接片から連続して伸びた、当該当接片の一部を構成する支持部分に設けられてもよい。また、保持構造は、当接片１１０ａ、１１０ｂ、１２０ａ、１２０ｂのうちいずれかの当接片自体に設けられてもよい。また、保持構造は、該保持構造を取付けるための構造を備えるとともに、当接片１１０ａ、１１０ｂ、１２０ａ、１２０ｂのうちいずれかの当接片あるいは連結部分１３０のいずれかに取付けられた補助部材に設けられてもよい。
【００３４】
図７は、この発明に係る部材取付け治具の第４実施形態の構成を説明するための図である。
【００３５】
この第４実施形態に係る部材取付け治具４００は、保持構造自体が保持されるべき部材側（この図７ではカメラ５側）に設けられている点で、上述の第２実施形態に係る部材取付け治具３００と異なる。また、上述の第１〜第３実施形態と同様に、この第４実施形態も保持されるべきカメラ５、当該部材取付け治具１００〜４００、表示装置８等により通信端末として機能可能な端末装置を構成している。
【００３６】
特に、視線一致した状態での双方向対話を実現する双方向対話型システムに適用される端末装置の場合、カメラ５及び部材取付け治具１００〜４００により構成される撮像装置は、カメラ５の少なくとも一部（レンズ部分）が表示装置８のモニタ画面８００に重なるようカメラ５を該モニタ画面８００の前方に落とし込むための構造を有するのが好ましい。そのため、図７（ａ）に示された撮像装置（カメラ５及び部材取付け治具４００で構成されている）は、カメラ５側に落とし込み構造５０が設けられている。なお、この落とし込み構造は、当該部材取付け治具４００側に設けられてもよい。
【００３７】
図７（ｂ）は、上述のような構造を有する撮像装置が表示装置８の上部に取付けられた状態を示す図である。
【００３８】
上述の第２〜第４実施例では、保持構造としてカメラを保持するカメラホルダーの例が示されたが、当該部材取付け治具が保持可能な部材は、カメラなどの電気機器には限定されない。例えば、対話中に参照されるような補助資料、パソコンへ直接キーボード入力する際のテキストなどの紙部材、ボールペン、鉛筆などの筆記具であってもよい。図８は、この発明に係る部材取付け治具の第５実施形態における主要部の構成を示す図である。
【００３９】
この図８に示された第５実施形態に係る部材取付け治具５００は、実質的には第１実施形態と同様の構造を有するが、連結部分１３０から連続して伸びた支持部分１４０に、紙部材５２０を保持するための保持構造として、クリップ５１０が設けられていることを特徴としている。このように、この発明に係る部材取付け治具は、保持すべき部材の形状等に応じて種々の保持構造を有する。
【００４０】
なお、この発明に係る部材取付け治具は、カメラを保持対象とした場合、このカメラ５と該カメラ５をカメラホルダー２４０で保持した部材取付け治具により撮像装置が構成される。また、この撮像装置とともに、取付け対象である表示装置８により端末装置が構成される。図９は、このように構成される端末装置を通信端末とした、双方向対話型システムの概略構成を示す図である。
【００４１】
この図９に示されたように、双方向対話型システムは、伝送手段２７を介して複数の端末装置が接続された構成を備えている。第１対話者３Ａと第２対話者３Ｂとがこの双方向対話型システムにより双方向対話を行う場合、伝送手段２７を介して接続される一方の端末装置（第１対話者３Ａ側の端末装置）は、カメラ５Ａ、部材取付け治具４００Ａ（第４実施形態の構成）、及び表示装置８Ａを少なくとも備える。また、他方の端末装置（第２対話者３Ｂ側の端末装置）は、カメラ５Ｂ、部材取付け治具４００Ｂ（第４実施形態の構成）、及び表示装置８Ｂを少なくとも備える。
【００４２】
第１対話者３Ａ側では、カメラ５Ａにより該第１対話者３Ａの画像１Ａが該第１対話者３Ａの音声とともに伝送手段２７を介して第２対話者３Ｂ側の表示装置８Ｂに表示される。一方、第２対話者３Ｂ側では、カメラ５Ｂにより該第２対話者３Ｂの画像１Ｂが該第２対話者３Ｂの音声とともに伝送手段２７を介して第２１話者３Ａ側の表示装置８Ａに表示される。
【００４３】
第１実施形態に係る部材取付け治具４００Ａ、４００Ｂとカメラ５Ａ、５Ｂにより構成された撮像装置は、カメラ５Ａ、５Ｂの少なくとも一部が表示装置８Ａ、８Ｂのモニタ画面に重なるように落とし込まれており、これにより、第１及び第２対話者３Ａ、３Ｂから見てカメラ５Ａ、５Ｂが相手側対話者像と重なるため、このような撮像装置が適用された双方向対話型システムにより、容易に視線一致状態が実現された双方向対話が可能になる。
【００４４】
なお、上述の各実施形態では、当該部材取付け治具を利用してパソコンなどの通信端末（端末装置）に撮影用のカメラを固定する用途について説明されているが、当該部材取付け治具の用途は、このような用途のみには限定されない。屋内屋外を問わず、取付け対象を把持することにより所定の反発力が付勢される当接部分により把持可能な構造を有する対象物に対して所望の部材を固定させることが可能である。また、当該部材取付け部材で保持される部材は、カメラなどの電気機器や紙部材には限定されず、当接部分に付勢される反発力を調整（例えば、当接部分を構成する金属板の厚みを変える等）したり保持構造を工夫することにより、大きさ、形状、重量の異なる任意の部材が適用され得る。
【産業上の利用可能性】
【００４５】
この発明に係る部材取付け治具は、音声や対話者像などのマルチメディアを媒介として双方向対話を実現するテレビ会議システムなどの双方向対話型システムにおける端末装置への適用が可能であり、ノートパソコンの表示装置などに対して、カメラを取付けることで、低コストで双方向対話型システムにおける端末装置が実現され得る。
【図面の簡単な説明】
【００４６】
【図１】この発明に係る部材取付け治具の第１実施形態の構成を示す斜視図である。
【図２】第１実施形態に係る部材取付け治具の製造工程を説明するための図である。
【図３】第１実施形態に係る部材取付け治具の構成を示す正面図及び側面図である。
【図４】第１実施形態に係る部材取付け治具の取付け方法及び取外し方法を説明するための図である。
【図５】この発明に係る部材取付け治具の第２実施形態の構成を示す斜視図である。
【図６】第２実施形態に係る部材取付け治具の取付け状態を、この発明に係る部材取付け治具の第３実施形態の構成とともに説明するための図である。
【図７】この発明に係る部材取付け治具の第４実施形態の構成を説明するための図である。
【図８】この発明に係る部材取付け治具の第５実施形態における主要部の構成を示す図である。
【図９】この発明に係る部材取付け治具が適用可能な双方向対話型システムの概略構成を示す図である。
【符号の説明】
【００４７】
５…カメラ（撮像部）、８…表示装置、１００〜５００…部材取付け治具、１１０ａ、１１０ｂ…前方当接片、１２０ａ、１２０ｂ…後方当接片、１３０…連結部分、１４０、２４０…支持部分、１５０ａ、１５０ｂ…ストッパー、２５０、５０…カメラホルダー（保持構造）、１１１ａ、１１１ｂ、１２１ａ、１２１ｂ、１５１ａ、１５１ｂ…クッション材、５１０…クリップ（保持構造）、５２０…紙部材、８００…モニタ画面。
【図１】
2006319669.tif 000003
【図２】
2006319669.tif 000004
【図３】
2006319669.tif 000005
【図４】
2006319669.tif 000006
【図５】
2006319669.tif 000007
【図６】
2006319669.tif 000008
【図７】
2006319669.tif 000009
【図８】
2006319669.tif 000010
【図９】
2006319669.tif 000011